(57)【要約】      （修正有）【課題】  最近、睡眠中無呼吸症が生活習慣病の一つとして社会問題になってきた。それは、そのまま放置しておくと、次第に心臓肥大や脳障害を引き起こす。又、熟睡が出来ず、日中、緊張して働く自動車運転や電車運転手などの事故率が高い事が大きな問題になってきた。そのメカニズムは判ってきたが、根本的な治療法が未だ確立して居らず、対処療法的に痩せることを勧めたり、頭部を横向きにして寝ると無呼吸症になりにくいことから「横向きに寝なさい」と勧められている。しかし、一晩中同じ方向に横になっているわけにもいかず、当然寝返りを打つことになり、何の改善にもならない。又、大イビキをかく人も狭心症になり易い等報告されている。【解決の手段】  本発明は、枕の形状を変えるだけで無意識に寝返りをしても頭部が常にどちらかに横向きになるようにしたものである。即ち、枕のほぼ中央部に硬質の発泡材により凸部を成形し、その上に寝心地の良い部材で上掛けとすれば、頭部が常時どちらかに横向きになり、無呼吸が改善され良い睡眠が取れる。又、これを定期的に強制的に横向き状態を作るため、ローラーにより凸状にし、これを２０〜３０分間隔で左右に自動的に転がす機構を備えれば、常に横向き状態を作る事によってより効果的に睡眠中無呼吸症を改善することができる。同時に、これまで大イビキに悩まされていた人にも大いに効果がある。  又、く字状の枕にする事によって、低価格で上記の効果が得られる。更に、方向転換しやすくするために、中間部に支点を設けるなどの工夫をした。【選択図】  図１
2006231008.tif 000002
【特許請求の範囲】
【請求項１】
人間が睡眠時に使用する枕構造において、枕の中央部を凸状に盛り上げ両端部が低くなるように傾斜をさせ、睡眠中に頭部が自然に横向きになり、寝返りを打っても反対側に横向きなり、睡眠中無呼吸症やいびき防止に有効な構造を特徴とした健康枕。
【請求項２】
凸状に盛り上げる部分をローラー状にし、これを２０〜３０分程度の間隔で自動的に或る定められた範囲を左右に移動する機構を具備したことを特徴とした請求項１記載の健康枕。
【発明の詳細な説明】
【技術分野】
【０００１】  本発明は、家庭や病院などで睡眠時に使用する枕の改良に関する。
【背景技術】
【０００２】  従来、健康枕や安眠枕と称する特許・実願類、或いは商品化されたものが数多くあるが、それらの多くは、枕の充填剤の種類や形状・頭を安定させる為の形状に重点があり、少しでもより安眠出来るようにとの配慮がなされたものである。
【発明が解決しようとする課題】
【０００３】  最近、睡眠中無呼吸症が社会問題になっている。そのまま放置しておくと、心臓肥大や脳障害を引き起こし、ひいては死に至る程の病気なのに根本的な治療法が確立されていない。そしてこの病気は、肥満とも関係があり増加傾向にあり、生活習慣病として見直されようとしている。
本発明は、この様な課題を解決しようとするものである。
【課題を解決するための手段】
【０００４】  本発明は、これまでの研究で、頭部を横にするとこの症状が発症しないことが判った。それに酷いイビキも治ることが判ってきた。これは仰向けに寝ると舌の奥が垂れ下がり、気管を圧迫するためと云われる。人間は睡眠中無意識のうちに寝返るので寝るとき横向きでもいつの間にか仰向きになり、同様の症状になることから、睡眠中でも常に横向きで寝られるような構造にして課題を解決するものである。
【０００５】  又、本発明は、同様な効果をより確実にするために、定期的に強制的に頭部を横向きの方向に変えるような機構を具備したものも範囲内である。
【発明の効果】
【０００６】  上述したように、本発明の枕を使用することによって、１）睡眠中無呼吸症の改善２）睡眠中の大きなイビキの低減、等生活習慣病によって引き起こされる難病である心臓肥大や脳障害や不眠症の改善効果に寄与する。
【発明を実施するための最良の形態】
【０００７】  以下、本発明の形態を図１〜図６に基づいて説明する。
図１において、１．は凸型形状を形成する基材で、硬質のポリウレタン発泡材などで成型する。その上に２．上掛けを軟らかい発泡材等を貼り付け、その上にタオル等でくるんで使用する。２．上掛けは、蕎麦殻やプラスチックチップなどを入れたもので作り寝易くすることも範囲内である。【０００８】  １Ａ．は、１．基材の凸部でこの部分に頭を置くと不安定になり、顔が自然にどちらかを向くため横向きになり、舌の奥が喉を圧迫することが無くなるので無呼吸を防止することが出来る。又、呼吸が喉を圧迫しないのでイビキもかかなくなる。図２は、その状況を示した図である。【０００９】  図３は、上記の効果をより効果的にするために、１Ａ．凸部を４．ローラーにし、このローラーを自動駆動機構により、２０分〜３０分間隔で左右に移動させることによって強制的に頭部を寝返りさせ、横向き状態を維持するようにした。【００１０】  図４、図５は、上記の状態を図示したもので、以下その詳細説明ある。【００１１】  図３、図６により説明すると、４．ローラーの両端に５．ロープを巻き付け、このロープが１０．滑車に導かれ６．モーターの７．スピンドルに連動し、１７．軸受けに取り付けた１８．歯車が回転すると、その両端に固定された１３．駆動リムに５ロープを１回巻き付け、５．ロープを駆動する。ロープの途中にスプリングを入れて５．ロープの伸縮を調整するなども考慮範囲である。９．カバーは、機構部を保護するためのものである。又、１０．滑車は、１４．軸受けにより支持された１６．軸で回転する。１０．滑車は空回転してもよい。【００１２】  この装置に使用する電源は、１２．ＡＣプラグにより６．モーターを駆動するか、電池に充電して駆動する。１１．電源及び制御装置で、定期的に左右に作動するための制御回路を内蔵する。又、この機構において１Ｂ．上掛け裏打ちの材質は、４．ローラーによって損傷しないような材質（例えば皮など）とする。
当然ながら、本装置の高さは、最小限になるよう部品などを設定する。又、４．ローラーは、柔軟性のある材質がよい。枕カバーなどの材料も安眠に最適なものを選ぶ。
【図面の簡単な説明】
【００１３】
【図１】  本発明の実施形態の主要部の一例を示す斜視図
【図２】  本体を使用している状態を示す背面図
【図３】  本発明の他の実施形態を示す断面図
【図４】  同上を使用している一例を背面図
【図５】  同上の他の例を示す背面図
【図６】  同上の機構部を示す斜視図
【符号の説明】
【００１４】  １．凸状基材                          １Ａ．基材凸部
２．上掛け                            １Ｂ．上掛け裏打ち
３．人間の頭部                        ３Ａ．反対向きの頭部
４．ローラー
５．ロープ
６．モーター
７．スピンドル
８．基板
９．カバー
１０．滑車
１１．電源・制御器
１２．電源プラグ
【図１】
2006231008.tif 000003
【図２】
2006231008.tif 000004
【図３】
2006231008.tif 000005
【図４】
2006231008.tif 000006
【図５】
2006231008.tif 000007
【図６】
2006231008.tif 000008
【手続補正書】
【提出日】平成17年4月13日(2005.4.13)
【手続補正１】
【補正対象書類名】特許請求の範囲
【補正対象項目名】全文
【補正方法】変更
【補正の内容】
【特許請求の範囲】
【請求項１】
人間が睡眠時に使用する枕構造において、枕の中央部を凸状に盛り上げ両端部が低くなるように傾斜をさせ、睡眠中に頭部が自然に横向きになり、寝返りを打っても反対側に横向きなり、睡眠中無呼吸症やいびき防止に有効な構造を特徴とした健康枕。
【請求項２】
凸状に盛り上げる部分をローラー状にし、これを２０〜３０分程度の間隔で自動的に或る定められた範囲を左右に移動する機構を具備したことを特徴とした請求項１記載の健康枕。
【請求項３】
枕の形状をく状に曲がった形状にし、寝返りをすると常にどちらかに自動的に横向きになり、請求項１記載と同様の効果を狙いとした健康枕。
【手続補正書】
【提出日】平成17年4月13日(2005.4.13)
【手続補正１】
【補正対象書類名】明細書
【補正対象項目名】全文
【補正方法】変更
【補正の内容】
【発明の詳細な説明】
【技術分野】
【０００１】  本発明は、家庭や病院などで睡眠時に使用する枕の改良に関する。
【背景技術】
【０００２】  従来、健康枕や安眠枕と称する特許・実願類、或いは商品化されたものが数多くあるが、それらの多くは、枕の充填剤の種類や形状・頭を安定させる為の形状に重点があり、少しでもより安眠出来るようにとの配慮がなされたものである。
【発明が解決しようとする課題】
【０００３】  最近、睡眠中無呼吸症が社会問題になっている。そのまま放置しておくと、心臓肥大や脳障害を引き起こし、ひいては死に至る程の病気なのに根本的な治療法が確立されていない。そしてこの病気は、肥満とも関係があり増加傾向にあり、生活習慣病として見直されようとしている。  本発明は、この様な課題を解決しようとするものである。
【課題を解決するための手段】
【０００４】  本発明は、これまでの研究で、頭部を横にするとこの症状が発症しないことが判った。それに酷いイビキも治ることが判ってきた。これは仰向けに寝ると舌の奥が垂れ下がり、気管を圧迫するためと云われる。人間は睡眠中無意識のうちに寝返るので寝るとき横向きでもいつの間にか仰向きになり、同様の症状になることから、睡眠中でも常に横向きで寝られるような構造にして課題を解決するものである。
【０００５】  又、本発明は、同様な効果をより確実にするために、定期的に強制的に頭部を横向きの方向に変えるような機構を具備したものも範囲内である。
【発明の効果】
【０００６】  上述したように、本発明の枕を使用することによって、１）睡眠中無呼吸症の改善２）睡眠中の大きなイビキの低減、等生活習慣病によって引き起こされる難病である心臓肥大や脳障害や不眠症の改善に低価格で効果的に寄与する。
【発明を実施するための最良の形態】
【０００７】  以下、本発明の形態を図１〜図９に基づいて説明する。  図１において、１．は凸型形状を形成する基材で、硬質のポリウレタン発泡材などで成型する。その上に２．枕を軟らかい発泡材等を貼り付け、その上にタオル等でくるんで使用する。２．枕は、蕎麦殻やプラスチックチップなどを入れたもので作り寝心地よくすることも範囲内である。【０００８】  １Ａ．は、１．基材の凸部でこの部分に頭を置くと不安定になり、顔が自然にどちらかを向くため横向きになり、舌の奥が喉を圧迫することが無くなるので無呼吸を防止することが出来る。又、呼吸が喉を圧迫しないので大イビキも激減する。図２は、その状況を示した図である。【０００９】  図３は、上記の効果をより効果的にするために、１Ａ．凸部を４．ローラーにし、このローラーを自動駆動機構により、２０分〜３０分間隔で左右に移動させることによって強制的に頭部を寝返りさせ、横向き状態を維持するようにした。【００１０】  図４、図５は、上記の状態を図示したもので、以下その詳細説明ある。【００１１】  図３、図６により説明すると、４．ローラーの両端に５．ロープを巻き付け、このロープが１０．滑車に導かれ６．モーターの７．スピンドルに連動し、１７．軸受けに取り付けた１８．歯車が回転すると、その両端に固定された１３．駆動リムに５．ロープを１回巻き付け、５．ロープを駆動する。ロープの途中にスプリングを入れて５．ロープの伸縮を調整するなども考慮範囲である。９．カバーは、機構部を保護するためのものである。又、１０．滑車は、１４．軸受けにより支持された１６．軸で回転する。１０．滑車は空回転してもよい。【００１２】  この装置に使用する電源は、１２．ＡＣプラグにより６．モーターを駆動するか、電池に充電して駆動する。１１．電源及び制御装置で、定期的に左右に作動するための制御回路を内蔵する。又、この機構において１Ｂ．上掛け裏打ちの材質は、４．ローラーによって損傷しないような材質（例えば皮など）とする。  当然ながら、本装置の高さは、最小限になるよう部品などを設定する。又、４．ローラーは、柔軟性のある材質がよい。枕カバーなどの材料も安眠に最適なものを選ぶ。【００１３】  図７、図８、図９は、他の実施例を示すもので、仰向きに寝ると不安定なので、常にどちらか横向きに無意識に矯正にされることを狙いとした構造で、１．基材を剛性のあるプラスチックス等でく字状に成形し、２．枕本体を一体化した構造としたものである。これは、低価格で効果的な構造を狙いとしたものである。
【図面の簡単な説明】
【００１４】
【図１】本発明の実施形態の主要部の一例を示す斜視図
【図２】本体を使用している状態を示す背面図
【図３】本発明の他の実施形態を示す断面図
【図４】同上を使用している一例を背面図
【図５】同上の他の例を示す背面図
【図６】同上の機構部を示す斜視図
【図７】本発明の他の実施形態を使用している状態の一例を示す背面図
【図８】同上の他の例を示す背面図
【図９】同上の具体的構造を示す背面図
【符号の説明】
【００１４】  １．凸状基材                          １Ａ．基材凸部  ２．枕                                １Ｂ．枕裏打ち  ３．人間の頭部                        ３Ａ  反対向きの頭部  ４．ローラー  ５．ロープ  ６．モーター  ７．スピンドル  ８．基板  ９．カバー１０．滑車１１．電源・制御器１２．電源プラグ
【手続補正書】
【提出日】平成17年4月13日(2005.4.13)
【手続補正１】
【補正対象書類名】図面
【補正対象項目名】全図
【補正方法】変更
【補正の内容】
【図１】
2006231008.tif 000009
【図２】
2006231008.tif 000010
【図３】
2006231008.tif 000011
【図４】
2006231008.tif 000012
【図５】
2006231008.tif 000013
【図６】
2006231008.tif 000014
【図７】
2006231008.tif 000015
【図８】
2006231008.tif 000016
【図９】
2006231008.tif 000017
【手続補正書】
【提出日】平成17年9月2日(2005.9.2)
【手続補正１】
【補正対象書類名】明細書
【補正対象項目名】全文
【補正方法】変更
【補正の内容】
【発明の詳細な説明】
【技術分野】
【０００１】  本発明は、家庭や病院などで睡眠時に使用する枕の改良に関する。
【背景技術】
【０００２】  従来、健康枕や安眠枕と称する特許・実願類、或いは商品化されたものが数多くあるが、それらの多くは、枕の充填剤の種類や頭を安定させる為の形状に重点があり、少しでもより安眠出来るようにとの観点からの提案が大半である。所が、最近そこに大きな落とし穴あることが判ってきた。
【発明が解決しようとする課題】
【０００３】  最近、睡眠中無呼吸症が社会問題になっている。そのまま放置しておくと、心臓肥大や脳障害を引き起こし、ひいては死に至る程の病気なのに根本的な治療法が確立されていない。そしてこの病気は、肥満とも関係があり増加傾向にあり、生活習慣病として見直されようとしている。又、大イビキをかく人の中の可成りの人が狭心症になり易い事も最近判ってきた。
本発明は、この様な課題を解決しようとするものである。
【課題を解決するための手段】
【０００４】  本発明は、これまでの研究で、頭部を横にする事でこの症状が出にくいことが判った。それに酷いイビキも改善されることが判ってきた。これは仰向けに寝ると舌の奥が垂れ下がり、気管を圧迫するためと云われる。人間は睡眠中無意識のうちに寝返るので、寝るとき横向きでもいつの間にか仰向きになり、同様の症状になることから、睡眠中で寝返っても常に横向きで寝られるような枕構造にして課題を解決するものである。
【０００５】  又、本発明は、同様な効果をより確実にするために、定期的に強制的に頭部を横向きに方向転換するような機構を具備したものも範囲内である。更に、寝返り打つとき、出来るだけ抵抗を少なく楽に出来るような構造としたことにより、身障者用枕としても有効なものである。
【発明の効果】
【０００６】  上述したように、本発明の枕を使用することによって、１）睡眠中無呼吸症の改善２）睡眠中の大きなイビキの低減、等の効果があり、睡眠中無呼吸症や大イビキに起因する心臓肥大や狭心症や脳障害や不眠症の改善にも効果的に寄与する。又、３）身障者の寝返りも容易できる。
【発明を実施するための最良の形態】
【０００７】  以下、本発明の形態を図１〜図１１に基づいて説明する。
図１において、１．は凸型形状を形成する基材で、硬質のポリウレタン発泡材などで成型する。その上に２．枕を軟らかい発泡材や綿又はそば殻等で覆う。、その上にタオルや枕カバー等でくるんで使用する。【０００８】  １Ａ．は、本発明の重要な要素で１．基材の凸部でこの部分に頭を置くと不安定になり仰向けに寝ることが出来ず、顔が自然にどちらかを向くため横向きになり、舌の奥が喉を圧迫することが無くなるので無呼吸症を改善することが出来る。又、呼吸する時喉を圧迫しないので大イビキも激減する。図２は、その状況を示した図である。【０００９】  図３は、上記の効果をより効果的にするために、１Ａ．凸部を４．ローラーにし、このローラーを自動駆動機構により、２０分〜３０分間隔で左右に移動させることによって強制的に頭部を横向き状態にする事により寝返りを容易にする。【００１０】  図４、図５は、上記の状態を図示したもので、以下その詳細説明ある。【００１１】  図３、図６により説明すると、４．ローラーの両端に５．ロープを巻き付け、このロープが１０．滑車に導かれ６．モーターの７．スピンドルに連動し、１７．軸受けに取り付けた１８．歯車が回転すると、その両端に固定された１３．駆動リムに５．ロープを１回巻き付け、５．ロープを駆動する。ロープの途中にスプリングを入れて５．ロープの伸縮を調整するなども考慮範囲である。９．カバーは、機構部を保護するためのものである。又、１０．滑車は、１４．軸受けにより支持された１６．軸で回転する。１０．滑車は空回転してもよい。【００１２】  この装置に使用する電源は、１２．ＡＣプラグにより６．モーターを駆動するか、電池に充電して駆動する。１１．電源及び制御装置で、定期的に左右に作動するための制御回路を内蔵する。又、この機構において１Ｂ．上掛け裏打ちの材質は、４．ローラーによって損傷しないような材質（例えば皮など）とする。
当然ながら、本装置の高さは、最小限になるよう部品などを設定する。又、４．ローラーは、柔軟性のある材質がよい。枕カバーなどの材料も安眠に最適なものを選ぶ。【００１３】  図７、図８、図９は、他の実施例を示すもので、仰向きに寝ると不安定なので、常にどちらか横向きに無意識に矯正にされることを狙いとした構造で、１．基材を剛性のあるプラスチックス等でく字状に成形し、２．枕本体を一体化した構造としたものである。これは、低価格で効果的な構造を狙いとしたものである。
図１０．は、図１．のたの実施例で、中央部を高くすると同時に、２．枕表部を升目状に仕切、Ａ列を一番硬めにし、Ｂ−Ｂ、Ｃ−Ｃ、Ｄ−Ｄ、Ｅ−Ｅ、の順に軟らかくする。又、横方向の升目で、イ行を一番硬くし、ロ、ハ、ニ、の順に軟らかくする。従って、Ａ列−イ行が一番硬く、Ｅ行−二列が一番軟らかくなる。その為、Ａ−イ、の升目が最も硬く、Ｅ−二、の升目が一番軟らかくなる。その為Ａ−イの升目部に頭を置いても不安定なので、自然に頭が横向きになる。結局、自分が一番寝心地の良い場所に落ち着くことになる。【００１４】  図１１．は、図７．図８．図９．の構造をもっと機能性を向上したもので、頭を抵抗無く楽に向きを変えることが出来る。特に、身障者や病人用の枕としても最適な構造である。２０．ベースと２１．サブベースの中央に２１Ａ支点があり、これを支点として横に簡単に傾斜する。１．枕基材の角度が２１．サブベースに２２．ネジで固定されるが角度も調整出来、自分で快適な角度を選ぶことも出来る。
寝返りを打つと（ａ）−（ａ）の状態から（ｂ）−（ｂ）に楽に回転し、横向き状態を常に維持する事ができる構造にした。【００１５】  以上、説明したごとく、本発明においては色々な構造が考えられるが、それを使用する人に最適なものを選択出来る事も大きな特徴である。
【図面の簡単な説明】
【００１６】
【図１】  本発明の実施形態の主要部の一例を示す斜視図
【図２】  本体を使用している状態を示す背面図
【図３】  本発明の他の実施形態を示す断面図
【図４】  同上を使用している一例を背面図
【図５】  同上の他の例を示す背面図
【図６】  同上の機構部を示す斜視図
【図７】  本発明の他の実施形態を使用している状態の一例を示す背面図
【図８】  同上の他の例を示す背面図
【図９】  同上の具体的構造を示す背面図
【図１０】  図１．の他の実施例を示す斜視図
【図１１】  図７．の他の実施例を示す側面図
【符号の説明】
【００１４】  １．枕基材                            １Ａ．基材凸部
２．枕                                １Ｂ．枕裏打ち
３．人間の頭部                        ３Ａ．反対向きの頭部
４．ローラー
５．ロープ                            ６．モーター
７．スピンドル                        ８．基板
９．カバー                          １０．滑車
１１．電源・制御器                    １２．電源プラグ
２０．ベース                          ２１．サブベース
２２．ネジ
【手続補正２】
【補正対象書類名】図面
【補正対象項目名】全図
【補正方法】変更
【補正の内容】
【図１】
2006231008.tif 000018
【図２】
2006231008.tif 000019
【図３】
2006231008.tif 000020
【図４】
2006231008.tif 000021
【図５】
2006231008.tif 000022
【図６】
2006231008.tif 000023
【図７】
2006231008.tif 000024
【図８】
2006231008.tif 000025
【図９】
2006231008.tif 000026
【図１０】
2006231008.tif 000027
【図１１】
2006231008.tif 000028